(57)【要約】【課題】１階床下の狭い作業領域においても配管の支持高さを簡便に調整し得る配管支持構成体を提供する。【解決手段】本発明に係るフロアバンド１は、一対の第１、第２の半環バンド１１、１２からなる配管ホルダ１０と、第１のプレート２１と、第２のプレート２２と、第３のプレート２３とからなる配管支持プレート体２０とを備えている。第１、第２の半環バンド１１、１２は、その一端部同士がヒンジ結合されると共に、その他端部が相互に締結可能に構成されている。第１のプレート２１は、その一端部が配管ホルダ１０に固着されると共に、その他端部が第２のプレート２２の一端部とヒンジ結合されている。第２のプレート２２は、土間コンクリート面上に固定可能に構成されている。第３のプレート２３は、その一端部が第１のプレート２１上でヒンジ結合されると共に、その他端部が第２のプレート２２上に固定可能に構成されている。【選択図】　　図１
2004132417.tif 000002
【特許請求の範囲】
【請求項１】
断面円形状の配管を保持する配管保持部材と、
該配管保持部材を、床下土間コンクリート面等の施工面の上方の所定位置に配置させて、該施工面上に固定される配管支持部材とを備え、
前記配管保持部材は、前記配管を挿通状態で保持する保持環部を分割した形状の一対の半環状部からなり、該半環状部は、その一端部同士がヒンジ結合されると共に、その他端部が相互に締結可能に構成され、
前記配管支持部材は、第１の支持部と、第２の支持部と、第３の支持部とからなり、
該第１の支持部は、その一端部が前記配管保持部材に固着されると共に、その他端部が前記第２の支持部の一端部とヒンジ結合され、
前記第２の支持部は、前記施工面上に固定可能に構成され、
前記第３の支持部は、その一端部が前記第１の支持部上の所定の部位でヒンジ結合されると共に、その他端部が前記第２の支持部上に固定可能に構成されていることを特徴とする配管支持構成体。
【請求項２】
前記配管支持部材の前記第２の支持部には、前記第３の支持部の他端部を固定すべき位置を示した目盛が付されていることを特徴とする請求項１記載の配管支持構成体。
【請求項３】
前記配管支持部材の前記第２の支持部には、前記第３の支持部の他端部を固定すべき部位毎に該他端部を係止する係止部が設けられていることを特徴とする請求項１又は２の何れか１項記載の配管支持構成体。
【発明の詳細な説明】
【０００１】
【発明の属する技術分野】
本発明は、建築物の配管施工に用いられる配管支持構成体に関し、特に、所定の勾配で傾斜した配管の支持高さを調整しつつその配管を支持する構成体に関する。
【０００２】
【従来の技術】
一般に、建築物の配管施工においては、排水用の配管を床下に所定の勾配で傾斜させて配設するため、所定の間隔毎に配管の支持する高さを調整する必要がある。
そのため、従来より、土間面上にコンクリート塊を土台にして立設した一組のネジロッドに、配管を保持する一対の半環状部材を、それぞれの両端部においてナットを介して組み付け、ナットとネジの結合位置を変更することにより、配管の支持高さを調節していた。
【０００３】
しかしながら、各半環状部材をネジに組み付ける際や、各半環状部材の高さを調整する際に、複数のナットをそれぞれ別個に回転しなけばならず手間がかかるという問題があった。
【０００４】
かかる問題を解決するため、Ｌ字状の板金に所定の角度で傾けて固定したネジに対し、配管を保持する配管保持部材をネジピッチ毎に取り付ける位置を変えることにより、配管の支持高さを調整する技術（特許文献１参照）や、配管を保持する一対の半環状部材を、それぞれの両端部においてネジで仮止めしたものを、支持部材に取り付ける位置を鉛直方向に変えることにより、配管の支持高さを調整する技術（特許文献２参照）が提案されている。
【０００５】
【特許文献１】
特開平５−７９５７８号公報
【特許文献２】
特開２００２−１３６７１号公報
【０００６】
【発明が解決しようとする課題】
このように提案された技術において、前者（特許文献１に記載の技術）にあっては、配管保持部材と、これをネジによって支持する部材とが別体となり、さらには、配管保持部材をネジに固定するための板バネ等の部材が必要になるため、部品点数が増加するという問題があり、後者（特許文献２に記載の技術）にあっては、一対の半環状部材を一カ所で支持するため、配管を支持する強度が十分でないという問題があった。
その一方で、一般に、一階の床組をつくりこれを作業床としてその後の施工を行うようにしていることから、配管施工を床下で行う必要があるため、配管の支持高さをさらに簡便に調整することが望まれている。
【０００７】
従って、本発明の目的は、部品点数の削減を図ると共に、配管の支持強度を確保した上で、１階床下の狭い作業領域においても配管の支持高さを簡便に調整し得る配管支持構成体を提供することにある。
【０００８】
【課題を解決するための手段】
本発明は、断面円形状の配管を保持する配管保持部材と、該配管保持部材を、床下土間コンクリート面等の施工面の上方の所定位置に配置させて、該施工面上に固定される配管支持部材とを備え、前記配管保持部材は、前記配管を挿通状態で保持する保持環部を分割した形状の一対の半環状部からなり、該半環状部は、その一端部同士がヒンジ結合されると共に、その他端部が相互に締結可能に構成され、前記配管支持部材は、第１の支持部と、第２の支持部と、第３の支持部とからなり、該第１の支持部は、その一端部が前記配管保持部材に固着されると共に、その他端部が前記第２の支持部の一端部とヒンジ結合され、前記第２の支持部は、前記施工面上に固定可能に構成され、前記第３の支持部は、その一端部が前記第１の支持部上の所定の部位でヒンジ結合されると共に、その他端部が前記第２の支持部上に固定可能に構成されていることを特徴とする配管支持構成体を提供することにより前記目的を達成したものである。
【０００９】
本発明によれば、配管保持部材と配管支持部材とを一体的な構成にして部品点数の削減を図ることができると共に、配管保持部材を配管支持部材の第１〜第３の支持部を用いて断面三角形構造による支持により配管の支持強度を確保できるとした上で、配管保持部材を配管支持部材において回転させるとともに所望の位置で固定することにより、１階床下の狭い作業領域においても配管の支持高さを簡便に調整することができる。
【００１０】
【発明の実施の形態】
以下、本発明に係る配管支持構成体の好ましい一実施形態を図面を参照して説明する。
図１又は図２に示すように、本実施形態のフロアバンド（配管支持構成体）１は、断面円形状の配管を保持する配管ホルダ（配管保持部材）１０と、この配管ホルダ１０を、床下土間コンクリート面等の施工面の上方の所定位置に配置させて、この施工面上に固定される配管支持プレート体（配管支持部材）２０とを備えている。
【００１１】
配管ホルダ１０は、配管を挿通状態で保持する保持環部を分割した形状の一対の第１、第２の半環バンド（一対の半環状部）１１、１２からなる。これらの第１、第２の半環バンド１１、１２は、その一端部同士がヒンジ結合されると共に、その他端部が相互に締結可能に構成されている。
【００１２】
配管支持プレート体２０は、第１のプレート（第１の支持部）２１と、第２のプレート（第２の支持部）２２と、第３のプレート（第３の支持部）２３とからなる。
第１のプレート２１は、その一端部が配管ホルダ１０に固着されると共に、その他端部が第２のプレート２２の一端部とヒンジ結合されている。第２のプレート２２は、土間コンクリート面上に固定可能に構成されている。第３のプレート２３は、その一端部が第１のプレート２１上の所定の部位でヒンジ結合されると共に、その他端部が第２のプレート２２上に固定可能に構成されている。以下、かかるフロアバンド１を詳細に述べる。
【００１３】
配管ホルダ１０の第１、第２の半環バンド１１、１２は、それぞれ、金属を用いて一定幅の曲面状に形成されている。第１、第２の半環バンド１１、１２は、双方の半径ｒが配管の半径と同一に設定され、第１のヒンジ１５を介して相互の開閉に伴い、配管を保持するようになっている。
【００１４】
配管支持プレート体１０の第１〜第３のプレート２１〜２３は、すべて、金属を用いて、第１、第２の半環バンド１１、１２の幅と同一の幅で平板状に形成されている。第１〜第３のプレート２１〜２３の長さＬ１、Ｌ２、Ｌ３については、Ｌ２が最も大きく、次いで、Ｌ１、Ｌ３の順に大きくなるように設定されている。
【００１５】
第１、第２の半環バンド１１、１２の先端部分には、それぞれ、第１、第２の締結部１３、１４が、外側に折れ曲がって互いに接合可能な形状に形成されている。第１、第２の締結部１３、１４の双方には、ボルト貫通孔１５が形成されている。
【００１６】
第２の締結部１４は、第１のプレート２１の一端部分の下面（第２のプレート２２との対向面）と溶接により固着されている。この場合、第１の締結部１３は、第１のプレート２１の一端部分の上面と当接するようになっている。
これに対応して、第１のプレート２１の一端部分は、第１、第２の締結部１３、１４に通されたボルト３１と当接しないような切欠き状に形成されている。
そして、第１、第２の半環バンド１３、１４は、それぞれの第１、第２の締結部１３、１４において、ボルト３１及びナット３２を用いることにより、相互に締結されるようになっている。
【００１７】
第２のプレート２２は、その一端部と第１のプレート２１の他端部の結合における第２のヒンジ２４を支軸として、第１のプレートに対し、回転可能になっている。
第３のプレート２３は、その一端部と第１のプレート２１の下面上における所定の拘束位置Ｐ１での結合における第３のヒンジ２５を支軸として、第１のプレート２１に対し、回転可能になっている。
【００１８】
第３のプレート２３の他端部には、その中央部に曲面状に折れ曲がったスライド部２３ａと、その両端部分に略鉤状に折れ曲がった係合部２３ｂとが形成されている。スライド部２３ａには、ネジ貫通孔２３ｃが形成されている。
【００１９】
そのスライド部２３ａに対応して、第２のプレート２２の中央部分には、断面凸状の当接突部２２ａが、長手方向に延在して形成されており、その上面には、切欠き孔２２ｂが、長孔状に形成されている。なお、第２のプレート２２の当接突部２２ａの幅は、作業性の向上の観点から、ネジ３３の締め付けに伴ってナット（図示せず）が回転しない程度の幅に設定されている。
【００２０】
第３のプレート２３の係合部２３ａに対応して、第２のプレート２２の両側部分には、それぞれ、逆Ｖ字状の係止目盛２２ｃが複数形成されている。これにより、第３のプレート２３は、その係合部２３ａが、第２のプレート２２の何れかの係止目盛２２ｃに係止した状態で、そのスライド部２３ａが、第２のプレート２２の当接突部２２ａとネジ３３及びナットを用いて締結されることにより、第２のプレート２２上の所望の位置に固定されることになる。
【００２１】
図２又は図３に示すように、互いに隣接する係止目盛２２ｃの間隔は、配管の施工すべき勾配に対応して定められている。具体的には、係止目盛２２ｃの一つ分に基づく配管中心Ｃの高さの変化量は、配管の勾配に従ってフロアバンド１の配置間隔ごとに支持高さＨを調整する一定のピッチ量ｈに対応している。例えば、配管の勾配が１／１００（ｃｍ／ｃｍ）で、フロアバンド１の配置間隔が２ｍの場合、そのピッチ量ｈは２ｃｍである。
【００２２】
第２のプレート２２の外周部分には、コンクリートビス用のビス貫通孔２２ｄが複数形成されている。
【００２３】
そして、かかる配管支持プレート体２０は、第３のプレート２３のスライド部２３ａが第２のプレート２２上で摺動することに伴い、配管ホルダ１０を、その配管中心Ｃが第２のヒンジ２４を原点とする軌跡半径Ｒ（＝「Ｌ１＋ｒ」）の円周上の軌跡にあるように、移動させるようにしている。
【００２４】
配管ホルダ１０の移動範囲については、その配管中心Ｃの上限の位置は、第２のヒンジ２４と第３のプレート２３のスライド部２３ａの間隔が、配管を支持できる程度で限りなく小さくなった状態における位置であるが、実際には、基礎立ち上がり面と配管ホルダ１０の外周面との水平方向の間隔に基づいて定められる。
【００２５】
また、配管中心Ｃの下限の位置は、配管ホルダ１０（第２の半環バンド１２）の外周面が第３のプレート２３の上面において接点Ｐ２で当接した状態における位置である。
【００２６】
ここに、上記拘束位置Ｐ１は、第３のプレート２３のスライド部２３ａでの接点Ｐ３から接点Ｐ２までの長さＬ４が、配管中心Ｃの土間コンクリート面からの支持高さＨの最小値とするように定められている。
【００２７】
以下、本実施形態のフロアバンド１の使用態様を図１、図２及び図４を参照しつつ説明する。
建築物の床４１の下方において、配管４２の両端部分を、それぞれ、所定の勾配で傾斜するように固定した上で、その固定された部分の間で若干撓んだ状態の配管４２に対して、所定数のフロアバンド１を一定の間隔毎に土間コンクリート面４３に設置する（図４参照）。
【００２８】
この場合、まず、予め、第３のプレート２３及び第２のプレート２２を、係合部２３ａが係止目盛２２ｃに当接せずに、スライド部２３ａが当接突部２２ａ上を摺動する程度に、ネジ３３及びナットを用いて仮止めの状態にしておき、第１の半環バンド１１を開いた状態で、フロアバンド１を配管の下に潜らせて配置する。第１の半環バンド１１を閉じて、第１、第２の半環バンド１１、１２の間に配管４２を挟んだ状態で、これらの第１、第２の締結部１３、１４をボルト１３及びナット１４を用いて互いに締結する。
【００２９】
これにより、配管４２は、配管ホルダ１０内で保持される一方で、配管ホルダ１０は配管に吊り下げられる。
次いで、作業者の一方の手で配管を支持しながら、第３のプレート２３のスライド部２３ａを、第２のプレート２２の当接突部２２ａ上で摺動させつつ、その係合部２３ｂを、そこでの支持高さＨに対応した係止目盛２２ｃに係止させる。
【００３０】
そして、他方の手で第３のプレート２３のスライド部２３ａ上のネジ３３を締め付け、第３のプレート２３を第２のプレート２２に対して固定した後、両手で第２のプレート２２にコンクリートビスを打ち込んでフロアバンド１を固定する。
以後、このようにして、残りのフロアバンド１を所定の箇所に順次設置する。
【００３１】
以上述べたように本実施形態によれば、配管ホルダ１０を配管支持プレート体２０において回転させるとともに所望の位置で固定できるようにしたことから、１階床下の狭い作業領域においても、配管の支持高さを自在かつ簡便に調整することができる。
【００３２】
また、本実施形態によれば、配管ホルダ１０を第１、第２の半環バンド１１、１２が第１のヒンジ１５を介して相互に開閉するようにしたことから、１階床下において配管の高さや基礎立ち上がり面からの距離に影響されずに、フロアバンド１を容易に配管に取り付けることができる。
【００３３】
さらに、本実施形態によれば、フロアバンド１を、配管ホルダ１０と配管支持プレート２０とからの一体的な構成にしたことから、部品点数の削減を図ることができる。
【００３４】
さらにまた、本実施形態によれば、配管ホルダ１０を、第１〜第３のプレート２１〜２３を用いて断面三角形構造により支持するようにしたことから、配管の支持強度を確保することができる。
【００３５】
さらに加えて、本実施形態によれば、第２のプレート２２に配管の支持高さの調整量に応じて第３のプレート２３の係合部２３ａを係止すべき係止目盛２２ｃを設けたことから、隣接したフロアバンド１を設置する際に第２のプレート２２の係止目盛２２ｃを一つずらして第３のプレート２３を係止するだけで、配管の支持高さＨを自動的に調整することができる。
【００３６】
本発明は、上記第１、第２実施形態に限られることなく、種々の変更等を行うことができる。
例えば、第３のプレート２３のスライド部２３ａにコンクリートビス用のビス貫通孔を設け、これに対し、第２のプレート２２に凸状部分を設けずに長孔状の切欠き溝を形成することもできる。また、第３のプレート２３に係合部を設けず、第２のプレート２２に支持高さＨの調整量に対応した目盛を例えば刻印により付することもできる。
【００３７】
この場合、第２のプレート２２上の目盛を参考にしつつ第３のプレート２３のスライド部２３ａの係止すべき位置を決定する際に施工変更があっても柔軟に対応できる点や、第３のプレート２３のスライド部２３ａにコンクリートビスを打ち込むことによってフロアバンド１を土間コンクリート面に仮止めできる点において有利である。
【００３８】
また、第２のプレート２２上において、支持高さＨの調整量に対応した箇所に、それぞれ、目盛としての役割をもつビス貫通孔を形成することもできる。
【００３９】
さらに、配管ホルダ１０を配管支持プレート体２０に対して着脱可能な構成にすることもでき、この場合、径が異なる配管を施工する際に、配管ホルダ１０を交換するだけで配管支持プレート体２０の部品共通化を図ることができる点で有利である。
【００４０】
さらにまた、配管ホルダ１０を配管支持プレート体２０に対して円周方向に移動可能な構成にすることもでき、この場合、施工現場の状況に対応して、配管ホルダ１０の第１、第２の締結部１３、１４の位置を変えることにより、作業性の向上を図ることができる。
【００４１】
さらに加えて、配管ホルダ１０の第１、第２の締結部１３、１４の締結については、上述したボルト３１及びナット３２のほか、第２の締結部１４に雌ネジを形成してこれを第１の締結部１３と共にネジ止めする場合や、第１、第２の締結部１３、１４にピンを通すことによってこれらを締結する場合等がある。
【００４２】
また、上記実施形態においては、配管支持プレート体について、第１〜第３のプレートからなるヒンジ結合体を示したが、３つのロッド部材からなるピン結合体にしてもよい。
【００４３】
【発明の効果】
本発明によれば、部品点数の削減を図ると共に、配管の支持強度を確保した上で、１階床下の狭い作業領域においても配管の支持高さを簡便に調整し得る配管支持構成体を得ることができる。
【図面の簡単な説明】
【図１】本実施形態のフロアバンドの概略構成を示す斜視図である。
【図２】同フロアバンドの概略構成を示す側面図である。
【図３】同フロアバンドの第２のプレートを示す平面図である。
【図４】同フロアバンドの使用態様を説明する図である。
【符号の説明】
１０　配管ホルダ
１１　第１の半環バンド（半環状部）
１２　第２の半環バンド（半環状部）
２０　配管支持プレート体（配管支持部材）
２１　第１のプレート（第１の支持部）
２２　第２のプレート（第２の支持部）
２２ｃ　係止目盛
２３　第３のプレート（第３の支持部）
【図１】
2004132417.tif 000003
【図２】
2004132417.tif 000004
【図３】
2004132417.tif 000005
【図４】
2004132417.tif 000006